(57)【要約】【課題】  既設のアンカーを用いることなく、下地材又は内装材と天井下地面とを所定間隔を保って接着固定できると共に、下地材又は内装材と天井下地面との間隔を調整することができる天井下地工法であって、施工性の良い、無騒音作業を可能にする。【解決手段】  機材の搬入（工程Ｓ１）を、天井構成材に接着用部材が仮貼着された第１の天井構成材接着ユニットで行い、これに接着剤を充填（工程Ｓ２）し、間隔調整線材を配備する（工程Ｓ３）。ここまでの工程はすべて床上で行い、接着剤の充填状態を床上で確認する。その後、間隔調整線材が配備された第２の天井構成材接着ユニットを天井下地面に接着し（工程Ｓ４）、レベル・不陸調整（工程Ｓ５）を行う。【選択図】  図９
2005188037.tif 000002
【特許請求の範囲】
【請求項１】
天井下地面と天井構成材とを所定間隔を保って接着固定する天井下地工法であって、
上面に前記天井下地面との接着面が形成される上面部を有する上部接着部材と下面に前記天井構成材との接着面が形成される下面部を有する下部接着部材とが前記上面部及び下面部間の間隔又は傾きを調整自在に嵌合してなる接着用部材を用い、
上下に挿通孔を貫通させた前記天井構成材の上面に前記挿通孔を覆うように前記接着用部材を載置した状態で、前記下部接着部材の下面と前記天井構成材の上面との間及び前記上部接着部材と前記下部接着部材の嵌合空間に接着剤を充填する工程と、
前記挿通孔を通して下方に延びる間隔調整線材を、少なくとも下向きの引っ張りに対して前記上部接着部材内に上端が固定されるように配備する工程と、
前記上部接着部材の上面に接着剤を塗布して該上面を前記天井下地面に接着させる工程と、
前記間隔調整線材に沿った所定位置で固定可能であると共に前記挿通孔の下端部に当接可能な調整固定部材を前記間隔調整線材に沿って摺動させ、前記接着剤の未硬化状態で前記天井構成材と前記上部接着部材間の間隔又は傾きを調整したところで、該調整固定部材を前記間隔調整線材に固定すると共に前記挿通孔の下端部に当接させる工程とを有することを特徴とする天井下地工法。
【請求項２】
前記天井構成材の上面に前記接着用部材を載置する際に、前記天井構成材の上面と前記下部接着部材の下面とを仮貼着することを特徴とする請求項１に記載された天井下地工法。
【請求項３】
前記上部接着部材の上面を前記天井下地面に接着させる際に、前記上部接着部材の上面と前記天井下地面とを仮貼着することを特徴とする請求項１又は２に記載された天井下地工法。
【請求項４】
天井下地面と天井構成材とを所定間隔を保って接着固定する天井下地接着構造であって、
上面に前記天井下地面との接着面が形成される上面部を有する上部接着部材と下面に前記天井構成材との接着面が形成される下面部を有する下部接着部材とが前記上面部及び下面部間の間隔又は傾きを調整自在に嵌合してなる接着用部材を用い、
前記上部接着部材と前記下部接着部材の嵌合空間に充填された接着剤が未硬化の状態で前記天井下地面に接着された前記上部接着部材と前記天井構成材の上面に接着された前記下部接着部材との間隔又は傾きを調整する間隔調整固定手段を備え、
該間隔調整固定手段は、上端が前記上部接着部材内で少なくとも下向きの引っ張りに対して固定されると共に前記天井構成材の上下に貫通する挿通孔を通して下方に延びる間隔調整線材と、該間隔調整線材に沿った所定位置で固定可能であると共に前記挿通孔の下端部に当接可能な調整固定部材とからなることを特徴とする天井下地接着構造。
【請求項５】
前記間隔調整線材の上端は、前記上部接着部材の上面に形成される凹部に係止され、前記調整固定部材は、前記天井構成材の下面に形成される凹部に当接されることを特徴とする請求項４に記載された天井下地接着構造。
【請求項６】
前記間隔調整線材には、上向きの係止歯が長手方向に沿って設けられ、前記調整固定部材は、前記間隔調整線材が挿通される挿通部に下向きの係止歯が形成されることを特徴とする請求項４又は５に記載された天井下地接着構造。
【請求項７】
前記間隔調整線材には、ねじ部が長手方向に沿って設けられ、前記調整固定部材は、該ねじ部に螺合するねじ部を有することを特徴とする請求項４又は５に記載された天井下地接着構造。
【請求項８】
前記上部接着部材は、前記上面部から下方に突設される内筒部を有すると共に、該上面部中央に開口した孔から前記下面部の中央に開口した孔を介して前記下部接着部材下面の接着空間に至る案内筒を有し、
前記下部接着部材は、前記下面部から上方に突設され前記内筒部と嵌合する外筒部を有すると共に、前記接着空間から前記内筒部と前記外筒部によって形成される前記嵌合空間に接着剤を流入させる流入孔を有し、
前記外筒部の上端部には、前記嵌合空間に完全に接着剤が充填することで該嵌合空間内の接着剤を前記外筒部の外に流出させる流出孔を有し、
前記間隔調整線材は、前記上面部中央に開口した孔から前記案内筒を介して前記挿通孔に配備され、その上端が前記上面部中央に開口した孔の周辺に形成された凹部に係止されることを特徴とする請求項４〜７のいずれかに記載された天井下地接着構造。
【請求項９】
少なくとも前記上面部が透明部材で形成され、該上面部の中央付近及び前記下面部の前記接着空間周辺に仮貼着部を形成することを特徴とする請求項４〜８のいずれかに記載された天井下地接着構造。
【請求項１０】
天井下地面と天井構成材とを所定間隔を保って接着固定する際に用いる天井構成材接着ユニットであって、
上面に前記天井下地面との接着面が形成される上面部を有する上部接着部材と下面に前記天井構成材との接着面が形成される下面部を有する下部接着部材とが前記上面部及び下面部間の間隔又は傾きを調整自在に嵌合してなる接着用部材を用い、
前記天井構成材に上下に貫通する挿通孔を形成し、前記上面部中央に開口した接着剤充填用の孔と前記挿通孔が合致するように、前記天井構成材に前記接着用部材を仮貼着したことを特徴とする天井構成材接着ユニット。
【請求項１１】
前記天井構成材には、前記下面部の外縁に合わせた位置決め凹部が形成されていることを特徴とする請求項１０に記載された天井構成材接着ユニット。
【請求項１２】
前記上部接着部材は、前記上面部から下方に突設される内筒部を有すると共に、前記上面部中央に開口した孔から前記下面部の中央に開口した孔を介して前記下部接着部材下面の接着空間に至る案内筒を有し、
前記下部接着部材は、前記下面部から上方に突設され前記内筒部と嵌合する外筒部を有すると共に、前記接着空間から前記内筒部と前記外筒部によって形成される前記嵌合空間に接着剤を流入させる流入孔を有し、
前記接着空間周辺に前記仮貼着がなされる仮貼着部が形成され、
前記接着空間に臨む挿通孔が突き破ることができる接着剤遮断膜で塞がれていることを特徴とする請求項１０又は１１に記載された天井構成材接着ユニット。
【請求項１３】
前記上部接着部材と前記下部接着部材の嵌合空間に接着剤を充填すると共に、前記下部接着部材の下面と前記天井構成材の上面とを接着した状態で、前記上部接着部材内に前記挿通孔を通して下方に延びる間隔調整線材を配備してなることを特徴とする請求項１０〜１２のいずれかに記載された天井構成材接着ユニット。
【発明の詳細な説明】
【技術分野】
【０００１】
本発明は、天井下地面と天井構成材（天井下地材又は内装材等）とを所定間隔を保って接着固定する天井下地工法、それに採用される天井下地接着構造、天井構成材接着ユニットに関するものである。
【背景技術】
【０００２】
建物の天井構造は、天井の躯体面と天井下地材又は内装材等の天井構成材との間に配線，配管，通気等の目的で所定の空間（「天井のふかし」と呼ばれるもの）を設ける構造が一般的である。特に、マンションやオフィスビル等のコンクリート製建築物では、躯体面に突設されたアンカーボルトに所定間隔を開けて下地材を吊り下げ、その下地材に内装材を固着している。
【０００３】
しかしながら、建物の室内リフォームを考えた場合、既設のアンカーボルトが老朽化或いは配置変更によってそのまま利用できない状況があり、この際に、新たなアンカーを敷設しようとすると、建物の躯体に損傷を与えるだけでなく工事の騒音が大きな問題になる。特に、マンション等の集合住宅では隣接住戸に対する騒音の影響は大きく、大規模なリフォームが頻繁に行われる近年のマンション供給事情では、リフォーム時の騒音は大きな社会問題になっている。
【０００４】
そこで、リフォームに有効な既設アンカーを用いない工法で、且つ低騒音の天井下地工法が求められており、下記に示すような接着部材を用いた工法が各種提案されている。
【０００５】
下記特許文献１に記載された工法は、図１（ａ）に示すように、天井下地面（建物の天井躯体）Ａに対して間隔Ｈを確保した状態で下地材（野縁）Ｂを接着固定する際に、先ず、壁面Ａ１に受け具Ｃを取り付け、その間に下地材Ｂを架け渡し、これと共に、下地材Ｂと天井下地面Ａとの間に接着剤が未硬化状態にある接着固定部材Ｄを装着する。その後に、アジャスタ金具Ｅを所定のピッチで天井下地面Ａに打ち付け、その後ナット部材Ｅ１を回しながら下地材Ｂの上下調整を行って、接着剤が固化した後にアジャスタ金具Ｅ及びナット部材Ｅ１を取り除くというものである。
【０００６】
下記特許文献２に記載の工法は、同図（ｂ）に示すように、天井下地面Ａ側に接着されるくさび状部材Ｆ１と下地材Ｂ側に接着されるくさび状部材Ｆ２とからなる支持部材Ｆを用い、両くさび状部材Ｆ１，Ｆ２間が未硬化の接着状態で、くさび状部材Ｆ１の上面と天井下地面Ａとを接着させ、くさび状部材Ｆ２をくさび面に沿って移動させることによって支持部材Ｆの高さ調整を行い、その後接着剤の硬化を待ってくさび状部材Ｆ２の下面に内装材（天井ボード）Ｂ１を接着するものである。
【０００７】
また、下記特許文献３に記載の工法は、同図（ｃ）に示すように、壁面Ａ１にランナー材Ｇを配置し、天井下地面Ａに仮止具Ｉを接着して、下地材（野縁）Ｂをランナー材Ｇ間に架設すると共に、天井下地面Ａと下地材Ｂ間に弾性特性を有する保持部材Ｊ１を介在させ、仮止具Ｉに取り付けられた紐状の間隔調整具Ｋを用いて下地材Ｂを仮止具Ｉに緩く締結し、隣接する下地材Ｂ間が同一平面状になるように間隔調整具Ｋの長さを調整した後、保持部材Ｊ１間に弾性接着剤Ｊ２を充填して、この弾性接着剤Ｊ２が硬化した後に間隔調整具Ｋを取り除くというものである。
【０００８】
【特許文献１】特開平９−７２０３９号公報
【特許文献２】特開平１１−３３６２４３号公報
【特許文献３】特許第３３８３２３２号公報
【発明の開示】
【発明が解決しようとする課題】
【０００９】
前述した従来技術によると、既設のアンカーを用いることなく、下地材Ｂ又は内装材Ｂ１と天井下地面Ａとを所定間隔Ｈを保って接着固定することができる。また、これらの従来技術は、いずれも下地材Ｂ又は内装材Ｂ１と天井下地面Ａとの間隔Ｈを調整する調整手段を備えている。
【００１０】
しかしながら、前記特許文献１に記載のものでは、壁面Ａ１に受け具Ｃを取り付ける手間が掛かると共にアジャスタ金具Ｅの取り付け及び取り外しに時間を要して作業性が悪い。また、受け具Ｃを取り付ける壁面が存在する施工現場に限られるので広い空間の一部に施工する場合などは採用することができない。更には、アジャスタ金具Ｅを天井下地面Ａに打ち込むので、建物の躯体を傷つけると同時に多少なりとも作業時の騒音が問題になる。
【００１１】
また、前記特許文献２に記載のものでは、内装材Ｂ１を取り付ける前段階で、各支持部材Ｆを個別に調整してその下面レベルを全て均一化するのは至難の業であり、まず実用性の面で問題がある。更には、くさび状部材Ｆ１，Ｆ２間の接着が硬化するまでは次の作業を行うことができないので、施工時間が長期化するという問題がある。
【００１２】
そして、前記特許文献３に記載のものでは、前記特許文献１に記載のものと同様に、ランナー材Ｇや仮止具Ｉの取り付けに手間取るので作業性が悪く、ランナー材を取り付けることができる壁面が存在する施工現場に限られるという問題がある。また、作業当初に仮止具Ｉを接着剤によって天井下地面Ａに固定するので、この接着剤が硬化するまで作業を進めることができず、施工時間が長期化する問題がある。また、施工後にも仮止具Ｉが天井下地面Ｉに残ってしまうので、配線や配管時の妨げになることも懸念される。更には、施工全般に亘って扱う施工部品又は機材の数が多く（ランナー材Ｇとその取り付け部材，仮止具Ｉ、間隔調整具Ｋ、下地材Ｂ、保持部材Ｊ１、弾性接着剤Ｊ２）、またこれらの部品又は機材を個別に取り扱う必要があるので、施工時の取り扱い性の面でも問題がある。
【００１３】
また、前述した各従来技術は、いずれも作業者が天井面に向かって行う作業が中心になり、また接着剤の充填又は塗布作業を天井付近で行わなければならないので、施工作業性の面で問題があると共に、接着剤の充填又は塗布が確実行われたか否かを確認することが困難であり、施工に熟練性を要するという問題がある。
【００１４】
本発明は、このような従来技術の問題を解消することを課題とする。
【００１５】
すなわち、既設のアンカーを用いることなく、下地材又は内装材と天井下地面とを所定間隔を保って接着固定できると共に、下地材又は内装材と天井下地面との間隔又は傾きを調整することができるものであって、更に、天井躯体を傷つけないこと、無騒音作業による施工が可能なこと、良好な作業性が得られること、施工現場の形態に拘わらず施工が可能なこと、施工期間の短縮或いは効率化が可能なこと、施工後の天井下地面に不要なものを残さないこと、施工時の部品又は機材の取り扱い性が良好であること、天井に向いた作業を減らし、天井付近での接着剤の充填或いは塗布をなくすと共に、接着剤の充填状態を確認できるようにすることで、良好な且つ簡易な施工作業性が得られること、等が本発明の課題である。
【課題を解決するための手段】
【００１６】
本発明は、このような課題を解決するために以下に示す特徴を有する。
【００１７】
第１には、天井下地面と天井構成材とを所定間隔を保って接着固定する天井下地工法であって、上面に前記天井下地面との接着面が形成される上面部を有する上部接着部材と下面に前記天井構成材との接着面が形成される下面部を有する下部接着部材とが前記上面部及び下面部間の間隔又は傾きを調整自在に嵌合してなる接着用部材を用いることを特徴とすると共に、以下の工程を有する。
【００１８】
ａ．上下に挿通孔を貫通させた前記天井構成材の上面に前記挿通孔を覆うように前記接着用部材を載置した状態で、前記下部接着部材の下面と前記天井構成材の上面との間及び前記上部接着部材と前記下部接着部材の嵌合空間に接着剤を充填する工程。
【００１９】
ｂ．前記挿通孔を通して下方に延びる間隔調整線材を、少なくとも下向きの引っ張りに対して前記上部接着部材内に上端が固定されるように配備する工程。
【００２０】
ｃ．前記上部接着部材の上面に接着剤を塗布して該上面を前記天井下地面に接着させる工程。
【００２１】
ｄ．前記間隔調整線材に沿った所定位置で固定可能であると共に前記挿通孔の下端部に当接可能な調整固定部材を前記間隔調整線材に沿って摺動させ、前記接着剤の未硬化状態で前記天井構成材と前記上部接着部材間の間隔又は傾きを調整したところで、該調整固定部材を前記間隔調整線材に固定すると共に前記挿通孔の下端部に当接させる工程。
【００２２】
また、前述の天井下地工法において、前記天井構成材の上面に前記接着用部材を載置する際に、前記天井構成材の上面と前記下部接着部材の下面とを仮貼着することを特徴とする。
【００２３】
更には、前述の天井下地工法において、前記上部接着部材の上面を前記天井下地面に接着させる際に、前記上部接着部材の上面と前記天井下地面とを仮貼着することを特徴とする。
【００２４】
第２には、天井下地面と天井構成材とを所定間隔を保って接着固定する天井下地接着構造であって、上面に前記天井下地面との接着面が形成される上面部を有する上部接着部材と下面に前記天井構成材との接着面が形成される下面部を有する下部接着部材とが前記上面部及び下面部間の間隔又は傾きを調整自在に嵌合してなる接着用部材を用い、前記上部接着部材と前記下部接着部材の嵌合空間に充填された接着剤が未硬化の状態で前記天井下地面に接着された前記上部接着部材と前記天井構成材の上面に接着された前記下部接着部材との間隔又は傾きを調整する間隔調整固定手段を備え、該間隔調整固定手段は、上端が前記上部接着部材内で少なくとも下向きの引っ張りに対して固定されると共に前記天井構成材の上下に貫通する挿通孔を通して下方に延びる間隔調整線材と、該間隔調整線材に沿った所定位置で固定可能であると共に前記挿通孔の下端部に当接可能な調整固定部材とからなることを特徴とする。
【００２５】
また、前述の天井下地接着構造であって、前記間隔調整線材の上端は、前記上部接着部材の上面に形成される凹部に係止され、前記調整固定部材は、前記天井構成材の下面に形成される凹部に当接されることを特徴とする。
【００２６】
更に、前述の天井下地接着構造であって、前記間隔調整線材には、上向きの係止歯が長手方向に沿って設けられ、前記調整固定部材は、前記間隔調整線材が挿通される挿通部に下向きの係止歯が形成されることを特徴とする。
【００２７】
また、前述の天井下地接着構造であって、前記間隔調整線材には、ねじ部が長手方向に沿って設けられ、前記調整固定部材は、該ねじ部に螺合するねじ部を有することを特徴とする。
【００２８】
更に、前述の天井下地接着構造であって、前記上部接着部材は、前記上面部から下方に突設される内筒部を有すると共に、該上面部中央に開口した孔から前記下面部の中央に開口した孔を介して前記下部接着部材下面の接着空間に至る案内筒を有し、前記下部接着部材は、前記下面部から上方に突設され前記内筒部と嵌合する外筒部を有すると共に、前記接着空間から前記内筒部と前記外筒部によって形成される前記嵌合空間に接着剤を流入させる流入孔を有し、前記外筒部の上端部には、前記嵌合空間に完全に接着剤が充填するとことで該嵌合空間内の接着剤を前記外筒部の外に流出させる流出孔を有し、前記間隔調整線材は、前記上面部中央に開口した孔から前記案内筒を介して前記挿通孔に配備され、その上端が前記上面部中央に開口した孔の周辺に形成された凹部に係止されることを特徴とする。
【００２９】
また、前述の天井下地接着構造であって、少なくとも前記上面部が透明部材で形成され、該上面部の中央付近及び前記下面部の前記接着空間周辺に仮貼着部を形成することを特徴とする。
【００３０】
第３には、天井下地面と天井構成材とを所定間隔を保って接着固定する際に用いる天井構成材接着ユニットであって、上面に前記天井下地面との接着面が形成される上面部を有する上部接着部材と下面に前記天井構成材との接着面が形成される下面部を有する下部接着部材とが前記上面部及び下面部間の間隔又は傾きを調整自在に嵌合してなる接着用部材を用い、前記天井構成材に上下に貫通する挿通孔を形成し、前記上面部中央に開口した接着剤充填用の孔と前記挿通孔が合致するように、前記天井構成材に前記接着用部材を仮貼着したことを特徴とする。
【００３１】
また、前述の天井構成材接着ユニットにおいて、前記天井構成材には、前記下面部の外縁に合わせた位置決め凹部が形成されていることを特徴とする。
【００３２】
更に、前述の天井構成材接着ユニットにおいて、前記上部接着部材は、前記上面部から下方に突設される内筒部を有すると共に、前記上面部中央に開口した孔から前記下面部の中央に開口した孔を介して前記下部接着部材下面の接着空間に至る案内筒を有し、前記下部接着部材は、前記下面部から上方に突設され前記内筒部と嵌合する外筒部を有すると共に、前記接着空間から前記内筒部と前記外筒部によって形成される前記嵌合空間に接着剤を流入させる流入孔を有し、前記接着空間周辺に前記仮貼着がなされる仮貼着部が形成され、前記接着空間に臨む挿通孔が突き破ることができる接着剤遮断膜で塞がれていることを特徴とする。
【００３３】
また、前述の天井構成材接着ユニットにおいて、前記上部接着部材と前記下部接着部材の嵌合空間に接着剤を充填すると共に、前記下部接着部材の下面と前記天井構成材の上面とを接着した状態で、前記上部接着部材内に前記挿通孔を通して下方に延びる間隔調整線材を配備してなることを特徴とする。
【００３４】
このような特徴を有する天井下地工法、天井下地接着構造、天井構成材接着ユニットによると、以下の作用が得られる。
【００３５】
先ず、天井下地工法及び天井下地接着構造としては、特徴的な接着用部材を用いることで接着剤の充填及び塗布作業を全て床上で行うことができるようにした。また前述の接着用部材によって、接着剤の充填・塗布状態を床上で充分に確認することが可能になり、接着のみによる信頼性の高い施工を可能にした。また、これによって、作業者が天井に向いて行う作業を極力少なくすることができるので、作業性が向上した。
【００３６】
また、充填された接着剤が未硬化状態でなされる天井下地面と天井構成材との間隔又は傾き調整は、天井下地面側に接着される上部接着部材と天井構成材側に接着される下部接着部材間の調整によってなされるが、間隔調整線材を上部接着部材内から吊り下げ、この吊り下げられた間隔調整線材の所望の位置に天井構成材を固定することで間隔又は傾き調整を行うようにした。これによって、間隔調整固定手段が天井下地面に影響を及ぼすことを排除し、予め間隔調整線材を配備しておくことで、レベル調整又は不陸調整作業を簡易に行えるようにした。
【００３７】
また、天井構成材の上面と下部接着部材の下面とを仮貼着しているので、接着用部材に対する接着剤の充填・塗布が容易であり、また、天井構成材と接着用部材がユニット化されるので取り扱い性が良好になった。
【００３８】
また、上部接着部材の上面を天井下地面に接着させる際に、上部接着部材の上面と天井下地面とを仮貼着することで、上部接着部材と天井下地面との接着養生期間の保持を仮貼着が担うようにし、補助支持具を不要にした。
【００３９】
天井下地接着構造としては、間隔調整線材の上端を上部接着部材の上面に形成される凹部に係止し、調整固定部材を天井構成材の下面に形成される凹部に当接しているので、間隔調整線材の上端が天井下地面に対する接着面に干渉することがなく、調整固定部材が天井構成材の下面に突出することもない。
【００４０】
間隔調整線材と調整固定部材との関係は、常時は間隔調整線材に沿って調整固定部材が摺動可能であり、必要なときに所望の位置で両者が固定されるものであればよく、例えば、上向き係止歯と下向き係止歯による構造、或いはねじの螺合関係によるもの等を採用することができる。
【００４１】
そして、天井構成材接着ユニットとしては、前述の作用を得るに際して、天井構成材と接着用部材とが仮貼着され、或いは間隔調整固定手段を接着用部材内に内蔵させることで、施工時の取り扱い性を向上させた。また、接着用部材における接着剤充填用の孔と天井構成材に形成される挿通孔とを合致させることで、接着剤充填用の孔を介して間隔調整線材を挿通孔に通すことができ、天井構成材に接着用部材の下面部外縁に合わせた位置決め凹部を形成することで、前述の接着剤充填用の孔と挿通孔との合致が容易になり、また天井構成材に対する接着用部材の載置も容易になった。
【００４２】
また、前述の下部接着部材における下面に形成される接着空間周辺に仮貼着部を形成することでこの接着空間が囲われることになるので、接着剤の充填が円滑になされる。更には、この際に挿通孔が突き破ることができる接着剤遮断膜で塞がれているので、接着剤の充填中に接着剤が挿通孔に漏れ出ることはなく、また、間隔調整線材の配備時には、接着剤遮断膜を破って挿通孔に間隔調整線材を配備することができる。
【発明の効果】
【００４３】
これのような特徴を有する本発明の効果は以下のとおりである。
（１）既設のアンカーを用いることなく、下地材又は内装材と天井下地面とを所定間隔を保って接着固定できると共に、下地材又は内装材と天井下地面との間隔又は傾きを調整することができる。よって、多少の凹凸や傾斜部分がある天井躯体面に対しても下地材又は内装材の水平レベルを保った状態で確実な接着固定を行うことができる。
（２）天井下地面に対しては上部接着部材の上面を接着するのみであるから、天井躯体を傷つけることはなく、また、無騒音作業による施工が可能である。
（３）壁面に装着される受け具やランナー材がなくても接着のみで確実性の高い接着固定が可能であるから、作業性が良く、また、施工現場の形態を選ばない。
（４）施工工程の途中で接着剤の養生を待つ期間が無いので、施工期間の短縮化或いは効率化が可能である。
（５）天井下地面に接着されるものは上部接着部材の上面のみであるから、施工後の天井下地面に不要なものが残ることはなく、その後の配線や配管等を支障なく行うことができる。
（６）天井構成材と接着用部材或いは間隔調整固定手段をユニット化して扱うので、施工時の部品又は機材に対する取り扱い性が良い。
（７）接着用部材に対する接着剤の充填及び塗布は全て床上で行うことができ、天井に向いた作業は、上部接着部材上面の接着と簡易な間隔調整固定手段による調整作業のみであるから、施工作業性が良好である。
（８）接着部材に対する接着剤の充填及び塗布状態を床上で確認することができるので、作業の熟練性を要することなく、高い信頼性で天井構成材の接着固定を行うことができる。
（９）間隔調整固定手段が接着用部材に内蔵されているので、調整作業時に工具が不要であり、また、別途補助具を設けることなく、接着剤が硬化するまでの自重による間隔変位或いは脱落を防ぐことができる。
【発明を実施するための最良の形態】
【００４４】
以下、本発明の実施形態を図面に基づいて説明する。図２は、本発明の実施形態に係る天井下地接着構造の概要及び天井下地工法を説明する説明図である。
【００４５】
本発明の実施形態に係る天井下地接着構造は、天井下地面Ａと天井構成材Ｂ0とを所定間隔を保って接着固定するための構造である。ここでいう天井構成材Ｂ0とは、天井下地材や内装材を含むものである。しがたって、本発明の以下に示す実施形態或いは実施例の構造や施工法は、下地材を介して天井の内装材を取り付ける構造だけでなく、内装材（天井ボード等）を直接天井下地面Ａに接着固定する場合にも適用できる。
【００４６】
この天井下地接着構造は、天井下地面Ａと天井構成材Ｂ0との間隔を確保するために接着用部材１０を用いる。この接着用部材１０は、上部接着部材１１と下部接着部材１２とによって構成されており、上部接着部材１１は上面に天井下地面Ａとの接着面が形成される上面部１２Ａを有し、下部接着部材１２は下面に天井構成材Ｂ0との接着面が形成される下面部１２Ａを有し、上部接着部材１１と下部接着部材１２とは上面部１１Ａと下面部１２Ａ間の間隔又は傾きを調整自在に嵌合されている。
【００４７】
そして、上部接着部材１１と下部接着部材１２とが嵌合して形成される嵌合空間１０Ａには接着剤が充填され、この接着剤、上面と天井下地材Ａ間の接着剤、下面と天井構成材Ｂ0間の接着剤が全て硬化した時点で、天井下地面Ａに天井構成材Ｂ0が接着固定されることになる。
【００４８】
また、この天井下地構造は、嵌合空間１０Ａに充填された接着剤が未硬化の状態で天井下地面Ａに接着された上部接着部材１１と天井構成材Ｂ0の上面に接着された下部接着部材１２との間隔又は傾きを調整する間隔調整固定手段を備えている。この間隔調整固定手段を装備するには、天井構成材Ｂ0に上下に貫通する挿通孔ｂ１を設ける必要がある。そして、この間隔調整固定手段は、上端部１３ａが上部接着部材１１内で少なくとも下向きの引っ張りに対して固定されると共に挿通孔ｂ１を通して下方に延びる間隔調整線材１３と、この間隔調整線材１３に沿った所定位置で固定可能であると共に挿通孔ｂ１の下端部に当接可能な調整固定部材１４とによって構成されている。
【００４９】
ここでは、間隔調整線材１３は、その上端部１３ａが上部接着部材１１の上面に形成された凹部１１ａに係止されており、この凹部１１ａに支持されて下方に吊り下げられた状態になっている。また、調整固定部材１４は天井構成材Ｂ0の下面に形成される凹部ｂ２内に当接できるようになっている。これによって、上端部１３ａが接着面に干渉することがなく、また、調整固定部材１４が天井構成材Ｂ0の下面から突出することがない。
【００５０】
調整の際には、嵌合空間１０Ａ内の接着剤が未硬化の状態で天井構成材Ｂ0を上下しながら天井構成材Ｂ0のレベル又は傾き調整を行い、調整が完了したところで調整固定部材１４を間隔調整線材１３に沿って摺動させて凹部ｂ２内に当接させ、この調整固定部材１４を間隔調整線材１３に固定する。これによって、上部接着部材１１から吊り下げられた間隔調整線材１３に天井構成材Ｂ0が支持されることになり、その調整状態が保持されることになる。
【００５１】
図３は、図２のＸ部における、間隔調整線材１３及び調整固定部材１４の構成例を示したものである。同図（ａ）に示すように、間隔調整線材１３には上向きの係止歯１３ｂ１が長手方向に沿って設けられ、調整固定部材１４は間隔調整線材１３が挿通される挿通部に下向きの係止歯１４ａ１が形成されるようにしてもよいし、或いは、同図（ｂ）に示すように、間隔調整線材１３にはねじ部１３ｂ２が長手方向に沿って設けられ、調整固定部材１４にはねじ部１３ｂ２に螺合するねじ部１４ａ２を設けるようにしてもよい。これに限らず、調整固定部材１４が間隔調整線材１３に沿って摺動し、所望の箇所で下向きの力に対して固定できるものであればよい。
【００５２】
このような天井下地接着構造を採用した天井下地工法について説明すると、その特徴は大半の作業を床上で行うことができる点にある。
【００５３】
すなわち、先ず、床上で、天井構成材Ｂ0の上面に挿通孔ｂ１を覆うように前述した接着用部材１０を載置する。
【００５４】
この際、天井構成材Ｂ0の上面と下部接着部材１２の下面とを両面テープ等による仮貼着部１５によって仮貼着することで、安定した載置が可能になり、またその後の接着剤の充填等を円滑に行うことが可能になる。天井構成材Ｂ0と接着用部材１０とは予め仮貼着してユニット化した状態で施工現場に搬入するようにしても良い。こうすることで、取り扱う部品点数を減らすことができ効率的な作業を行うことが可能になる。
【００５５】
次に、引き続き床上の作業によって、下部接着部材１２の下面と天井構成材Ｂ0との間、前述の嵌合空間１０Ａに接着剤を充填又は塗布する。この際、後述する実施例のような接着用部材の構造を採用する場合には、下部接着部材１２の下面と天井構成材Ｂ0との間及び嵌合空間１０Ａに一度に接着剤を充填させることができるが、その他の構造の場合には、下部接着部材１２の下面に接着剤を塗布し、別途適当な充填孔等から嵌合空間１０Ａ内に接着剤を充填させる。ここでも床上の作業で接着剤の充填又は塗布を行うことができるので、確実に接着剤が充填されたことを確認するのが容易である。
【００５６】
次に、上部接着部材１１の上面に形成された凹部１１ａから間隔調整線材１３を挿入して、挿通孔ｂ１を通して下方に延びるように配備する。すなわち、天井下地面Ａに向けた作業を行う前段階で、予め間隔調整線材１３を内蔵させた状態で天井構成材Ｂ0及び接着用部材１０と共にユニット化しておく。これによって、天井下地面Ａに向けた作業を簡易化することができ、また取り扱い性を向上させることができる。
【００５７】
そして、上部接着部材１１の上面に接着剤を塗布して、その上面を天井下地面Ａに接着させる。ここで初めて天井下地面Ａに向けた作業になるが、前段の作業で段取りよく天井構成材Ｂ0，接着用部材１０，間隔調整線材１３がユニット化されているので、接着作業を楽に行うことができる。この際に、上部接着部材１１の上面と天井下地面Ａとを両面テープ等の仮貼着部１６によって仮貼着することで、接着剤養生期間の保持がなされることになり、別途補助保持具を設ける必要がなくなる。
【００５８】
その後は、嵌合空間１０Ａに充填された接着剤が硬化する前に前述した手順でレベル又は不陸調整を行う。これによって、天井下地面Ａに多少の凹凸や傾きがあっても安定した状態で天井構成材Ｂ0の水平レベルを保持することができ、また、接着剤の養生期間に、自重で天井構成材Ｂ0の高さが変わったり或いは脱落するような不具合がなくなる。
【実施例】
【００５９】
以下、本発明の更に具体的な実施例を図４〜図８を参照しながら説明する。この実施例は、接着用部材１０として特開２００３−１７６６１４号公報に開示されたものを採用している。本発明がこれに限定されるものではないことは、前述の実施形態で説明したとおりである。なお、以下の実施例でも前述した実施形態と同一部分は同一の部材名及び記号によって説明するが、これは、本実施例が前述した実施形態の具体例であることを示している。
【００６０】
先ず、図４を参照しながら接着用部材１０について説明する。この接着用部材１０は、上部接着部材１１と下部接着部材１２とによって構成され、上部接着部材１１は上面部１１Ａを備え、下部接着部材１２は下面部１２Ａを備えることは前述の実施形態で示すとおりである。ここでは、上面部１１Ａには、上面側に前述の凹部１１ａ（上面部１１Ａ中央に開口した孔の周辺に形成した凹部）を兼ねる接着剤充填孔１１ａ０が形成され、下面部１２Ａには、下面側に接着空間１２ａが形成されている。
【００６１】
そして、上部接着部材１１は、上面部１１Ａから下方に突設される内筒部１１Ｂを有すると共に、上面部１１Ａ中央に開口した接着剤充填孔１１ａ０から下部接着部材１２の下面部１２Ａの中央に開口した孔１２ｂを介して接着空間１２ａに至る案内筒１１Ｃを有する。
【００６２】
また、下部接着部材１２は、下面部１２Ａから上方に突設され前述の内筒部１１Ｂと嵌合する外筒部１２Ｂを有すると共に、接着空間１２ａから内筒部１１Ｂと外筒部１２Ｂによって形成される嵌合空間１０Ａに接着剤を流入させる流入孔１２ｃを有する。
【００６３】
また、外筒部１２Ｂの上端には、嵌合空間１０Ａに完全に接着剤が充填することで嵌合空間１０Ａ内の接着剤を外筒部１２Ｂの外に流出させる流出孔１２ｄを有する。
【００６４】
このような接着用部材１０によると、接着剤充填孔１１ａ０に接着剤充填手段のノズルを差し込み接着剤の充填を始めると、接着剤は、案内筒１１Ｃ内を経由して接着空間１２ａに至り、更には流入孔１２ｃを経由して嵌合空間１０Ａに至り、嵌合空間１０Ａが完全に充填されると流出孔１２ｄから外側に流出することになる。したがって、完全に接着剤が充填されたことを、流出孔１２ｄを経て外筒部１２Ｂの外に接着剤がはみ出すことで目視によって確認することができる（図５参照）。特に、上面部１１Ａを透明部材にすることで、その確認が容易になる。
【００６５】
図４は、天井構成材Ｂ0と接着用部材１０とを仮貼着してユニット化した第１の天井構成材接着ユニット（請求項１０参照）を示している。この接着ユニットでは、下面部１２Ａの接着空間１２ａの周辺に仮貼着部１５が形成され、また、上面部１１Ａの中央付近に仮貼着部１６が形成されている。そして、天井構成材Ｂ0の上下に貫通した挿通孔ｂ１と前述した接着剤充填孔１１ａ０とが合致するように、天井構成材Ｂ0と接着用部材１０とが仮貼着されている。
【００６６】
また、天井構成材Ｂ0には、接着用部材１０の下面部１２Ａの外縁に合わせた位置決め凹部ｂ３が形成されている。この位置決め凹部ｂ３によって前述した挿通孔ｂ１と接着剤充填孔１１ａ０との合致が容易になる。更には、接着空間１２ａに臨む挿通孔ｂ１が突き破ることができる接着剤遮断膜ｂ４で塞がれている。このような第１の天井構成材接着ユニットによって施工現場への機材の搬入を行うことにより、機材の取り扱い性が良好になり、その後の作業を円滑に進めることが可能になる。
【００６７】
図５は、第１の天井構成材接着ユニットに接着剤を充填した状態を示す。下部接着部材１２と天井構成材Ｂ0との間の接着空間１２ｂに接着剤が充填されていると共に、嵌合空間１０Ａにも完全に接着剤が充填されている。この際に、接着剤遮断膜ｂ４を設けることで、接着剤が挿通孔ｂ１に流れ込むのを防ぐことができ、仮貼着部１５の存在によって、接着剤が接着空間１２ａからはみ出すことを防ぎ、嵌合空間１０Ａへの接着剤の流れを良好にしている。接着剤の充填完了は図示のように外筒部１２Ｂからのはみ出しによって目視確認できる。
【００６８】
図６は、接着剤を充填した第１の天井構成材接着ユニットに間隔調整線材１３を配備した第２の天井構成材接着ユニット（請求項１３参照）を示したものである。これによると、第１の接着ユニットに対して、接着剤充填用孔１１ａ０から間隔調整線材１３を挿入して、その上端部１３ａを接着剤充填用孔１１ａ０が兼ねる凹部１１ａに係止している。この際に、間隔調整線材１３の挿入によって接着剤遮断膜ｂ４は突き破られ、間隔調整線材１３は案内筒１１Ｃと挿通孔ｂ１を通して下方に延びた状態で配備される。ここで用いられる間隔調整線材１３としては、上向きの係止歯が形成された樹脂製で紐状のもの等を用いることができる。
【００６９】
そして、上部接着部材１２の上面における周辺部分に接着剤Ｍを塗布し、この第２の天井構成材接着ユニットを天井下地面Ａに接着させる。図７は、その接着した状態を示す。この際、両面テープ等による仮貼着部１６によって接着剤Ｍが硬化するまでの保持がなされることになる。
【００７０】
また、図８に示すように、嵌合空間１０Ａ内の接着剤が硬化するまでの間に、間隔調整固定手段によって、天井下地材Ａに対する天井構成材Ｂ0の間隔調整又は天井構成材Ｂ0のレベル・不陸調整が行われる。この調整は、天井構成材Ｂ0を上下しながら行い、天井下地面に傾きがある場合（天井下地面に垂直な軸Ｏ２が垂直軸Ｏ１に対して傾いている場合）には、天井構成材Ｂ0が水平を保つように傾きを調整する。そして、調整が完了したところで、第２の天井構成材接着ユニットに内蔵された間隔調整線材１３の下端から調整固定部材１４を装着し、この調整固定部材１４を、間隔調整線材１３に沿って摺動させて挿通孔ｂ１の下端部に形成された凹部ｂ２に当接させ、この状態で間隔調整線材１３に固定する。調整に先立って間隔調整線材１３に調整固定部材１４を装着し、調整固定部材１４を凹部ｂ２に当接させた状態で間隔調整線材１３に沿って摺動しながら調整を行い、調整が完了したところで調整固定部材１４を間隔調整線材１３に固定するようにしてもよい。調整後、天井構成材Ｂ0の下方に延びた間隔調整線材１３の下端部分は、不要であれば切断して除去する。
【００７１】
この調整は、第２の天井構成材接着ユニットに内蔵された間隔調整線材１３に調整固定部材１４を装着するのみで作業ができるので、他の工具は必要なく、天井下地面Ａに接着された上部接着部材１１を基準に調整を行うことで、天井下地面Ａを傷つけることがなく、天井下地面Ａに仮止具を接着する必要もない。また、当然ながら無騒音で作業を行うことができる。
【００７２】
この実施例による天井下地工法の手順をまとめると、図８に示すとおりである。すなわち、機材の搬入工程（Ｓ１）は、前述した天井構成材Ｂ0に接着用部材１０が仮貼着された第１の天井構成材接着ユニット（図４参照）の状態で行うことができる。これに対して接着剤の充填工程（Ｓ２）を行い（図５参照）、間隔調整線材１３を配備する（工程Ｓ３；図６参照）。ここまでの工程はすべて床上で行うことができるので作業が楽であり、また接着剤の充填状態を床上で確認できるので精度の高い作業が格別熟練を要することなく実行できる。更にはユニット化された機材の搬入によって機材の取り扱い性がよい。
【００７３】
その後、間隔調整線材１３が配備された第２の天井構成材接着ユニットを天井下地面Ａに接着する（工程Ｓ４）が、この際にも機材のユニット化によって、工具を用いることなく容易に作業を行うことができる。そして、レベル・不陸調整工程（Ｓ５）を行うが、ここでもユニットに内蔵された間隔調整線材１３に調整固定材１４を装着するだけで作業ができ、接着用部材１０の機能によって容易に間隔と傾きを調整することができるので、特に工具を要することもなく簡易に作業を行うことができる。
【００７４】
以上の工程で作業を完了することができ、その後に接着剤の硬化を待つ（接着養生）ことになるが、前述の間隔調整固定手段で天井構成材Ｂ0が保持されているので、その間に自重で間隔が変位したり、脱落が生じることはない。また、作業が終了するまでの各工程では接着剤の養生期間が無いので施工期間の短縮化・効率化が可能である。
【００７５】
図９は、このような実施例による施工例を示したものであり、下地材（野縁）Ｂを天井構成材Ｂ0に接着固定した状態を示している。このように、接着用部材１０によって間隔Ｈを極力狭く設定することできるので、室内の天井面を比較的高くすることができる。また、下地材Ｂは、図示のように、内装材装着用のアンカーボルトＰを内設することが可能であり、或いは配線（又は配管）Ｑを配置する配置溝を形成することもできる。
【００７６】
このような実施例によると、既設のアンカーを用いることなく、天井構成材Ｂ0（下地材又は内装材等）と天井下地面Ａとを所定間隔を保って接着固定することができ、また、天井構成材Ｂ0と天井下地面Ａとの間隔を調整することができると共に、天井躯体を傷つけることがなく、且つ無騒音作業による施工が可能である。また、天井に向いた作業を減らすことができ、天井付近での接着剤の充填或いは塗布をなくすと共に、接着剤の充填状態を確認することできるので、作業が楽であり、簡易且つ信頼性の高い施工が可能である。
【００７７】
更には、ユニット化によって、施工時の部品又は機材の取り扱い性或いは作業性が良好になり、施工途中での接着剤の硬化待ちがないので、施工期間の短縮或いは効率化が可能である。そして、天井下地面Ａへの接着のみによる施工が可能であるから、施工現場の形態に拘わらず施工が可能であり、また、施工後の天井下地面Ａに不要なものを残さないので、その後の配線・配管作業に影響がない。
【図面の簡単な説明】
【００７８】
【図１】従来技術の説明図である。
【図２】本発明の実施形態に係る天井下地接着構造の概要及び天井下地工法を説明する説明図である。
【図３】本発明の実施形態における間隔調整線材及び調整固定部材の構成例を示す説明図である。
【図４】本発明の実施例を示す説明図である（第１の天井構成材接着ユニット）。
【図５】本発明の実施例を示す説明図である（接着剤充填工程）。
【図６】本発明の実施例を示す説明図である（第２の天井構成材接着ユニット）。
【図７】本発明の実施例を示す説明図である（調整工程）。
【図８】本発明の実施例を示す説明図である（調整工程）
【図９】本発明の実施例に係る天井下地工法の手順を示す説明図である。
【図１０】本発明の実施例による施工例を示す説明図である。
【符号の説明】
【００７９】
１０    接着用部材
１０Ａ    嵌合空間
１１    上部接着部材
１１Ａ    上面部
１１Ｂ    内筒部
１１Ｃ    案内筒
１１ａ    凹部
１１ａ０    接着剤充填孔
１２ｄ    流出孔
１２    下部接着部材
１２Ａ    下面部
１２Ｂ    外筒部
１２ａ    接着空間
１２ｂ    孔
１２ｃ    流入孔
１３    間隔調整線材
１３ａ    上端部
１３ｂ１    係止歯
１３ｂ２    ねじ部
１４    調整固定部材
１４ａ１    係止歯
１４ｂ２    ねじ部
１５，１６  仮貼着材
Ａ    天井下地面
Ｂ    下地材
Ｂ１    内装材
Ｂ0    天井構成材
ｂ１    挿通孔
ｂ２    凹部
ｂ３    位置決め凹部
ｂ４    接着剤遮断膜
Ｍ    接着剤
【図１】
2005188037.tif 000003
【図２】
2005188037.tif 000004
【図３】
2005188037.tif 000005
【図４】
2005188037.tif 000006
【図５】
2005188037.tif 000007
【図６】
2005188037.tif 000008
【図７】
2005188037.tif 000009
【図８】
2005188037.tif 000010
【図９】
2005188037.tif 000011
【図１０】
2005188037.tif 000012